(57)【要約】  【課題】液晶表示装置において、ソース側ドライバＩＣ及びゲート側ドライバＩＣと、駆動回路基板との接続構造を工夫することによって、レイアウトの自由度を高め、バックライトの配置変更等を容易にする。  【解決手段】ソース側ドライバＩＣ５及びゲート側ドライバＩＣ６へタイミングをとって制御信号を出力する駆動回路基板１１を、カバーパネル３の上部であって、陰極線管４のインバータ制御基板９から離間した位置に配置する。駆動回路基板１１とソース側ドライバＩＣ５に接続したソース側バス基板７との間を第１のＦＦＣ１３で接続し、ゲート側ドライバＩＣ６に接続したゲート側バス基板８との間は、液晶パネル２の上辺２ａと側辺２ｂが交差する稜線Ｌを越えて延びる第２のＦＦＣ１４で接続する。駆動回路基板１１からゲート側ドライバＩＣ６への信号は、第１のＦＦＣ１３とソース側バス基板７と第２のＦＦＣ１４とゲート側バス基板８を経て入力される。【選択図】  図１
2006308648.tif 000002
【特許請求の範囲】
【請求項１】
液晶パネルと、
前記液晶パネルの背面のほぼ全面を覆うカバーパネルと、
前記カバーパネルの内部に収納された陰極線管からなるバックライトと、
前記液晶パネルの隣合った２辺において液晶パネルに接続され、フレキシブル基板に実装されたソース側ドライバＩＣ及びゲート側ドライバＩＣと、
前記ソース側ドライバＩＣ及びゲート側ドライバＩＣに、それぞれバス配線を介して接続され、両ドライバＩＣのタイミング制御を行う駆動回路基板とを有し、
前記バックライトのインバータ制御基板が、前記カバーパネル上の前記ゲート側ドライバＩＣ寄りに設けられた液晶表示装置において、
前記ソース側ドライバＩＣ及びゲート側ドライバＩＣが配置された液晶パネルの２辺に沿って、それぞれ短冊形状で、且つフィルム状のバス基板を配置し、
前記ソース側ドライバＩＣ及びゲート側ドライバＩＣと前記バス基板とを、それぞれ接続し、
前記駆動回路基板を、前記カバーパネル上の上部であって、前記インバータ制御基板から離間した位置に配置すると共に、前記駆動回路基板と前記ソース側ドライバＩＣに接続したバス基板（以下、ソース側バス基板）との間を第１のＦＦＣ（Ｆｌａｔ  Ｆｌｅｘｉｂｌｅ  Ｃａｂｌｅ）で接続し、
前記ソース側バス基板と前記ゲート側ドライバＩＣに接続したバス基板（以下、ゲート側バス基板）との間は、前記液晶パネルの隣合った２辺が交差する稜線を越えて延びる第２のＦＦＣ（Ｆｌａｔ  Ｆｌｅｘｉｂｌｅ  Ｃａｂｌｅ）で接続し、
前記駆動回路基板から前記ソース側ドライバＩＣへ発信される制御信号は、前記第１のＦＦＣと前記ソース側バス基板を経て前記ソース側ドライバＩＣに入力され、
前記駆動回路基板から前記ゲート側ドライバＩＣへ発信される制御信号は、前記第１のＦＦＣと前記ソース側バス基板と前記第２のＦＦＣと前記ゲート側バス基板を経て前記ゲート側ドライバＩＣに入力されることを特徴とする液晶表示装置。
【請求項２】
液晶パネルと、
前記液晶パネルの背面のほぼ全面を覆うカバーパネルと、
前記カバーパネルの内部に収納されたバックライトと、
前記液晶パネルの隣合った２辺において液晶パネルに接続され、フレキシブル基板に実装されたソース側ドライバＩＣ及びゲート側ドライバＩＣと、
前記ソース側ドライバＩＣ及びゲート側ドライバＩＣに、それぞれバス配線を介して接続され、両ドライバＩＣのタイミング制御を行う駆動回路基板とを有する液晶表示装置において、
前記ソース側ドライバＩＣ及びゲート側ドライバＩＣが配置された液晶パネルの２辺に沿って、それぞれ短冊形状で、且つフィルム状のバス基板を配置し、
前記ソース側ドライバＩＣ及びゲート側ドライバＩＣと前記バス基板とを、それぞれ接続し、
前記駆動回路基板と前記ソース側ドライバＩＣに接続したバス基板（以下、ソース側バス基板）との間を第１のフレキシブルケーブルで接続し、
前記ソース側バス基板と前記ゲート側ドライバＩＣに接続したバス基板（以下、ゲート側バス基板）との間は、前記液晶パネルの隣合った２辺が交差する稜線を越えて延びる第２のフレキシブルケーブルで接続し、
前記駆動回路基板から前記ソース側ドライバＩＣへ発信される制御信号は、前記第１のフレキシブルケーブルと前記ソース側バス基板を経て前記ソース側ドライバＩＣに入力され、
前記駆動回路基板から前記ゲート側ドライバＩＣへ発信される制御信号は、前記第１のフレキシブルケーブルと前記ソース側バス基板と前記第２のフレキシブルケーブルと前記ゲート側バス基板を経て前記ゲート側ドライバＩＣに入力されることを特徴とする液晶表示装置。
【請求項３】
前記バックライトが陰極線管からなり、前記陰極線管のインバータ制御基板が、前記カバーパネルの上面に配置され、
前記駆動回路基板が、前記カバーパネル上で、前記陰極線管のインバータ制御基板とその陰極線管との接続配線に干渉しない位置に配置されることを特徴とする請求項２に記載の液晶表示装置。
【発明の詳細な説明】
【技術分野】
【０００１】
本発明は、液晶表示装置に関し、詳しくは、液晶パネルに接続するソース側ドライバＩＣ及びゲート側ドライバＩＣと、両ドライバＩＣに接続されて、それらのタイミング制御を行う駆動回路基板との接続構造に関する。
【背景技術】
【０００２】
アクティブマトリクス方式の液晶表示装置では、液晶パネルの隣合った２辺に、それぞれ薄膜トランジスタのソース電極から引き出されたソース側端子群と、薄膜トランジスタのゲート電極から引き出されたゲート側端子群が形成され、各端子群にそれぞれドライバＩＣを介して駆動回路が接続されている。そして、駆動回路は、タイミングを合わせて、ソース側端子群へ画像データ信号を供給し、ゲート側端子群へ線走査信号を供給することによって液晶パネル上に所定の画像を形成するようになっている。
【０００３】
一方、各ドライバＩＣと駆動回路との接続には、組立ての容易さからフレキシブル基板が多く用いられるが、フレキシブル基板は、ソース側とゲート側とで少なくとも２枚必要であり、これら２枚あるいはそれ以上の枚数のフレキシブル基板間のケーブル接続が問題となる。この問題を解決するものとして、交差する２辺の一方の辺側と他方の辺側との間に接続配線を設ける技術が知られている（例えば、特許文献１及び２参照）。
【０００４】
また、アレイ基板の外周にドライバＩＣを搭載した駆動回路モジュールを固定する方式では、液晶パネルの表示面積に対して装置の外形サイズが大きくなってしまう欠点があるが、この問題を解決するために、駆動回路モジュールを、液晶パネルの対向する辺の両端部でそれぞれ略直角に配置する技術が知られている（例えば、特許文献３及び４参照）。
【特許文献１】特開２００４−４９２４号公報
【特許文献２】特許第３５７５４８２号公報
【特許文献３】特開平１−２３４８２９号公報
【特許文献４】特許第２５０４１０６号公報
【発明の開示】
【発明が解決しようとする課題】
【０００５】
上述のように、アクティブマトリクス方式の液晶表示装置では、液晶パネルの隣合った２辺に、それぞれソース側ドライバＩＣとゲート側ドライバＩＣとが配置され、各ドライバＩＣがバス配線を介して１つの駆動回路に接続されるので、液晶パネルの背面において、駆動回路と各ドライバＩＣとを接続するバス配線（ケーブル）が、縦横に直行して設けられる構成になる。
【０００６】
この構成について、図３（ａ）（ｂ）（ｃ）を参照して具体的に説明する。図３（ａ）（ｂ）（ｃ）は、それぞれ液晶表示装置の上面、背面及び側面を示す。液晶表示装置５１は、液晶パネル５２と、その背面のほぼ全面を覆う金属製のカバーパネル５３と、カバーパネル５３の内部に収納されたＵ字状の陰極線管５４からなるバックライトと、液晶パネル５２の上辺５２ａにおいて液晶パネル５２に接続されたソース側ドライバＩＣ５５と、液晶パネル５２の側辺５２ｂにおいて液晶パネル５２に接続されたゲート側ドライバＩＣ５６と、ソース側ドライバＩＣ５５に接続されたソース側のバス基板５７と、ゲート側ドライバＩＣ５６に接続されたゲート側のバス基板５８とを有し、これらソース側バス基板５７とゲート側バス基板５８とが、カバーパネル５３上に固定配置された駆動回路基板５９と、それぞれＦＦＣ（Ｆｌａｔ  Ｆｌｅｘｉｂｌｅ  Ｃａｂｌｅ）６１、６２を介して接続されている。また、カバーパネル５３上には陰極線管５４の制御用のインバータ制御基板６３が固定されている。
【０００７】
このように、ソース側バス基板５７と駆動回路基板５９を接続するＦＦＣ６１がカバーパネル５３上を垂直に延び、ゲート側バス基板５８と駆動回路基板５９を接続するＦＦＣ６２がカバーパネル５３上を水平に延びる構成であるので、カバーパネル５３上における駆動回路基板５９の配置が、図３（ｂ）に示すように背面視で右上方位置にほぼ限定されてしまい、レイアウトの自由度が乏しいものであった。
【０００８】
従って、例えば、図３（ａ）（ｂ）（ｃ）に示す液晶表示装置５１において、画面の明るさの均等を図るため、あるいは他の理由でＵ字状陰極線管５４を左右逆向きに変更する場合には、陰極線管のコネクタ５４ａが図３（ｂ）において右側に位置するようになるので、インバータ制御基板６３もカバーパネル５３の右寄りに配置する必要が生じる。そして、この場合、駆動回路基板５９とインバータ制御基板６３の干渉を避けるために、駆動回路基板５９をカバーパネル５３の左寄りに配置しようとすると、駆動回路基板５９とゲート側バス基板５８とを接続する水平に延びるＦＦＣ６２が、相当に長いものになって取り扱いが面倒な上に、そのＦＦＣ６２はインバータ制御基板６３の近傍を通るか、インバータ制御基板６３を跨ぐ形になるので、駆動回路基板５９からＦＦＣ６２を経由してゲート側ドライバＩＣ５６へと送られる信号にノイズが乗る虞がある。
【０００９】
なお、陰極線管５４のインバータ制御は、複数の陰極線管５４のうち上方の陰極線管に実施する方が画面全体の明るさを制御しやすいので、インバータ制御基板６３は、一般的にカバーパネル５３の上方寄りに配置される。
【００１０】
そこで、本発明は、上記事情に鑑み、液晶パネルと、その背面のほぼ全面を覆うカバーパネルと、カバーパネルの内部に収納されたバックライトと、液晶パネルの隣合った２辺において液晶パネルに接続されたソース側ドライバＩＣ及びゲート側ドライバＩＣと、両ドライバＩＣに、それぞれバス配線を介して接続された駆動回路基板を有する液晶表示装置において、ソース側ドライバＩＣ及びゲート側ドライバＩＣと駆動回路基板との接続構造を工夫することによって、レイアウトの自由度が高く、バックライトの配置変更等が容易になる液晶表示装置を提供することを目的とする。
【課題を解決するための手段】
【００１１】
上記目的を達成するために、請求項１の発明は、液晶パネルと、前記液晶パネルの背面のほぼ全面を覆うカバーパネルと、前記カバーパネルの内部に収納された陰極線管からなるバックライトと、前記液晶パネルの隣合った２辺において液晶パネルに接続され、フレキシブル基板に実装されたソース側ドライバＩＣ及びゲート側ドライバＩＣと、前記ソース側ドライバＩＣ及びゲート側ドライバＩＣに、それぞれバス配線を介して接続され、両ドライバＩＣのタイミング制御を行う駆動回路基板とを有し、前記バックライトのインバータ制御基板が、前記カバーパネル上の前記ゲート側ドライバＩＣ寄りに設けられた液晶表示装置において、前記ソース側ドライバＩＣ及びゲート側ドライバＩＣが配置された液晶パネルの２辺に沿って、それぞれ短冊形状で、且つフィルム状のバス基板を配置し、前記ソース側ドライバＩＣ及びゲート側ドライバＩＣと前記バス基板とを、それぞれ接続し、前記駆動回路基板を、前記カバーパネル上の上部であって、前記インバータ制御基板から離間した位置に配置すると共に、前記駆動回路基板と前記ソース側ドライバＩＣに接続したバス基板（以下、ソース側バス基板）との間を第１のＦＦＣ（Ｆｌａｔ  Ｆｌｅｘｉｂｌｅ  Ｃａｂｌｅ）で接続し、前記ソース側バス基板と前記ゲート側ドライバＩＣに接続したバス基板（以下、ゲート側バス基板）との間は、前記液晶パネルの隣合った２辺が交差する稜線を越えて延びる第２のＦＦＣ（Ｆｌａｔ  Ｆｌｅｘｉｂｌｅ  Ｃａｂｌｅ）で接続し、前記駆動回路基板から前記ソース側ドライバＩＣへ発信される制御信号は、前記第１のＦＦＣと前記ソース側バス基板を経て前記ソース側ドライバＩＣに入力され、前記駆動回路基板から前記ゲート側ドライバＩＣへ発信される制御信号は、前記第１のＦＦＣと前記ソース側バス基板と前記第２のＦＦＣと前記ゲート側バス基板を経て前記ゲート側ドライバＩＣに入力されることを特徴とする。
【００１２】
請求項２の発明は、液晶パネルと、前記液晶パネルの背面のほぼ全面を覆うカバーパネルと、前記カバーパネルの内部に収納されたバックライトと、前記液晶パネルの隣合った２辺において液晶パネルに接続され、フレキシブル基板に実装されたソース側ドライバＩＣ及びゲート側ドライバＩＣと、前記ソース側ドライバＩＣ及びゲート側ドライバＩＣに、それぞれバス配線を介して接続され、両ドライバＩＣのタイミング制御を行う駆動回路基板とを有する液晶表示装置において、前記ソース側ドライバＩＣ及びゲート側ドライバＩＣが配置された液晶パネルの２辺に沿って、それぞれ短冊形状で、且つフィルム状のバス基板を配置し、前記ソース側ドライバＩＣ及びゲート側ドライバＩＣと前記バス基板とを、それぞれ接続し、前記駆動回路基板と前記ソース側ドライバＩＣに接続したバス基板（以下、ソース側バス基板）との間を第１のフレキシブルケーブルで接続し、前記ソース側バス基板と前記ゲート側ドライバＩＣに接続したバス基板（以下、ゲート側バス基板）との間は、前記液晶パネルの隣合った２辺が交差する稜線を越えて延びる第２のフレキシブルケーブルで接続し、前記駆動回路基板から前記ソース側ドライバＩＣへ発信される制御信号は、前記第１のフレキシブルケーブルと前記ソース側バス基板を経て前記ソース側ドライバＩＣに入力され、前記駆動回路基板から前記ゲート側ドライバＩＣへ発信される制御信号は、前記第１のフレキシブルケーブルと前記ソース側バス基板と前記第２のフレキシブルケーブルと前記ゲート側バス基板を経て前記ゲート側ドライバＩＣに入力されることを特徴とする。
【００１３】
請求項３の発明は、請求項２の発明において、前記バックライトが陰極線管からなり、前記陰極線管のインバータ制御基板が、前記カバーパネルの上面に配置され、前記駆動回路基板が、前記カバーパネル上で、前記陰極線管のインバータ制御基板とその陰極線管との接続配線に干渉しない位置に配置されることを特徴とする。
【発明の効果】
【００１４】
本発明によれば、液晶パネルと、その背面のほぼ全面を覆うカバーパネルと、カバーパネルの内部に収納されたバックライトと、液晶パネルの隣合った２辺において液晶パネルに接続されたソース側ドライバＩＣ及びゲート側ドライバＩＣと、両ドライバＩＣに、それぞれバス配線を介して接続された駆動回路基板を有する液晶表示装置において、レイアウトの自由度が高まり、バックライトの配置変更等の設計が容易になる。また、配線構造を簡素にできる分、安価に製造できる可能性が大きい。
【発明を実施するための最良の形態】
【００１５】
以下、本発明の一実施形態に係る液晶表示装置について、図１（ａ）（ｂ）（ｃ）を参照して説明する。図１（ａ）（ｂ）（ｃ）は、それぞれ液晶表示装置１の上面、背面及び側面を示す。液晶表示装置１は、液晶パネル２と、その背面のほぼ全面を覆う金属製のカバーパネル３と、カバーパネル３の内部に収納されたＵ字状の陰極線管４からなるバックライトと、液晶パネル２の上辺２ａにおいて液晶パネル２に接続されたソース側ドライバＩＣ５と、液晶パネル２の側辺２ｂにおいて液晶パネル２に接続されたゲート側ドライバＩＣ６と、ソース側ドライバＩＣ５に接続されたソース側のバス基板７と、ゲート側ドライバＩＣ６に接続されたゲート側のバス基板８とを有している。
【００１６】
ソース側ドライバＩＣ５とゲート側ドライバＩＣ６は共に、フレキシブル基板に実装されており、一般的にＴＡＢ（Ｔａｐｅ  Ａｕｔｏｍａｔｅｄ  Ｂｏｎｄｉｎｇ）又はＣＯＦ（Ｃｈｉｐ  ｏｎ  Ｆｉｌｍ）と称されているものである。また、ソース側バス基板７とゲート側バス基板８は、それぞれカバーパネル３の上面３ａと側面３ｂに沿った、細長い短冊形状で且つフィルム状の基板であって、一般的にＦＰＣ（Ｆｌｅｘｉｂｌｅ  Ｐｒｉｎｔｅｄ  Ｃｉｒｃｕｉｔ）と称されているものである。なお、ＴＡＢ又はＣＯＦからなるソース側ドライバＩＣ５とゲート側ドライバＩＣ６は、高価であるので可及的に短く設計することが望ましい。
【００１７】
本実施形態の液晶表示装置１では、陰極線管４は、そのコネクタ４ａ側を背面視で右側になるように配置してあり、インバータ制御基板９がカバーパネル３の右上方に固定配置してある。そして、ソース側ドライバＩＣ５とゲート側ドライバＩＣ６へ信号を送る駆動回路基板１１が、カバーパネル３上で、陰極線管４のインバータ制御基板９とその陰極線管４との接続配線１２に干渉しない左上方位置に配置される。
【００１８】
駆動回路基板１１は、タイミングを合わせて、ソース側ドライバＩＣ５へ画像データ信号を出力し、ゲート側ドライバＩＣ６へ線走査信号を出力することによって、液晶パネル画面に所定の画像を形成するようになっている。駆動回路基板１１と各ドライバＩＣ５、６との接続構造は、次のようになっている。
【００１９】
つまり、駆動回路基板１１とソース側バス基板７との間に第１のＦＦＣ（Ｆｌａｔ  Ｆｌｅｘｉｂｌｅ  Ｃａｂｌｅ）１３が掛け渡されて接続され、ソース側バス基板７とゲート側バス基板８との間に、液晶パネル２の隣合った上辺２ａと側辺２ｂが交差する稜線Ｌを越えて延びる第２のＦＦＣ（Ｆｌａｔ  Ｆｌｅｘｉｂｌｅ  Ｃａｂｌｅ）１４が掛け渡されて接続されている。第１のＦＦＣ１３と第２のＦＦＣ１４は共に、充分な可撓性を有するので、駆動回路基板１１とソース側バス基板７、及びソース側バス基板７とゲート側バス基板８は、それぞれ直角に交差しているが、その直角に沿って無理なく接続される。また、本実施形態では、稜線Ｌは、カバーパネル３の上面３ａと側面３ｂが交差する角部によっても延長して形成される。
【００２０】
なお、バックライトの構造が大型であってカバーパネル３の厚み（前後幅）が大きい場合には、カバーパネル３全体が台形状になって、図２に示したように、カバーパネル３の隣合った上面３ａと側面３ｂとが斜めに交差するが、その場合でも、第２のＦＦＣ１４の有する可撓性によって、傾斜した稜線Ｌに沿って第２のＦＦＣ１４を無理なく敷設することができる。
【００２１】
従って、駆動回路基板１１から発信された画像データ信号等は、第１のＦＦＣ１３とソース側バス基板７を経てソース側ドライバＩＣ５へ入力され、駆動回路基板１１から発信された線走査信号等は、第１のＦＦＣ１３とソース側バス基板７と第２のＦＦＣ１４とゲート側バス基板８を経てゲート側ドライバＩＣ６へ入力される。駆動回路基板１１からゲート側ドライバＩＣ６へ入力される制御信号は、インバータ制御基板９や、インバータ制御基板９と陰極線管４とを接続する配線群１２とは充分に離間した経路を通過するので、それらからのノイズが乗って信号が劣化する虞が少ない。
【００２２】
以上のように、駆動回路基板１１とバス基板７、８とを接続するＦＦＣが、カバーパネル３の背面側においては、カバーパネル３面を垂直に伸びる第１のＦＦＣ１３のみであるので、駆動回路基板１１を、カバーパネル３の背面側における任意の位置に容易に配置することができる。上述の例であれば、陰極線管４の制御用インバータ制御基板９がカバーパネル３の右上方に配置されていても、駆動回路基板１１からゲート側ドライバＩＣ６への信号送信経路を考慮する必要なく、駆動回路基板１１をカバーパネル３の背面側における左上方の任意の位置に配置することができる。
【００２３】
また、本発明の接続構造であれば、配線の引き回しが簡素にでき、製造コストを安価に抑えることが可能になる。
【００２４】
さらに、駆動回路基板１１とソース側バス基板７を接続する第１のＦＦＣ１３、及びソース側バス基板７とゲート側バス基板８を接続する第２のＦＦＣ１４は、ＦＰＣ等の他のフレキシブルな（可撓性を有する）ケーブルであってもよい。
【００２５】
なお、駆動回路基板１１は、ソース側ドライバＩＣ５とゲート側ドライバＩＣ６へタイミングをとって信号を出力する機能の他に、ソース側ドライバＩＣ５へ出力する画像信号を生成する機能等を備えたものであってもよく、要するに、ソース側ドライバＩＣ５とゲート側ドライバＩＣ６に共通に接続され、両ドライバＩＣ５、６へとタイミング制御信号を出力する機能を有する回路基板のことを言う。
【図面の簡単な説明】
【００２６】
【図１】本発明の一実施形態に係る液晶表示装置であって、（ａ）は上面図、（ｂ）は背面図、（ｃ）は側面図。
【図２】同カバーパネルの上面と側面が斜めに交差して傾斜した稜線を有する場合の要部斜視図。
【図３】従来の液晶表示装置であって、（ａ）は上面図、（ｂ）は背面図、（ｃ）は側面図。
【符号の説明】
【００２７】
１  液晶表示装置
２  液晶パネル
２ａ  上辺
２ｂ  側辺
３  カバーパネル
４  陰極線管
５  ソース側ドライバＩＣ
６  ゲート側ドライバＩＣ
７  ソース側バス基板
８  ゲート側バス基板
９  インバータ制御基板
１１  駆動回路基板
１３  第１のＦＦＣ
１４  第２のＦＦＣ
Ｌ  稜線
【図１】
2006308648.tif 000003
【図２】
2006308648.tif 000004
【図３】
2006308648.tif 000005